(57)【特許請求の範囲】
【請求項１】
複数の被制御対象に対応して複数設けられ、それぞれがパラレル信号線を接続可能な多数の端子板を備えたパラレル信号入出力端子板群と、
シリアル信号線を接続可能なシリアル信号入出力端子板と、
上記パラレル信号入出力端子板群と上記シリアル信号入出力端子板とに接続され、シリアル信号とパラレル信号とを相互に変換する変換コントローラと、を有する信号変換装置において、
アドレス番号が付与された複数のアドレス端子板を備えたアドレス端子板群が設けられ、
任意の上記パラレル信号入出力端子板群のグルーピング端子板が、上記アドレス端子板群の同一の上記アドレス端子板にワイヤにて接続可能に構成されたことを特徴とする信号変換装置。
【請求項２】
上述の複数のパラレル信号入出力端子板群のグルーピング端子板が互いに同一の抵抗値の抵抗を備え、また、上記アドレス端子板群の複数のアドレス端子板が互いに異なった抵抗値の抵抗を備え、
任意の上記パラレル信号入出力端子板群における上記グルーピング端子板の上記抵抗が、上記アドレス端子板群における同一の上記アドレス端子板の上記抵抗に、ワイヤにて並列に接続可能に構成されたことを特徴とする請求項１に記載の信号変換装置。
【請求項３】
一又は複数の室外機及び複数の室内機を有する一又は複数の空気調和装置が、パラレル信号とシリアル信号とを変換可能な信号変換装置を介して、集中制御装置により集中制御される空気調和システムにおいて、
上記信号変換装置は、複数の被制御対象に対応して複数設けられるとともに、それぞれがパラレル信号線を接続可能な多数の端子板を備えたパラレル信号入出力端子板群と、シリアル信号線を接続可能なシリアル信号入出力端子板と、上記パラレル信号入出力端子板群と上記シリアル信号入出力端子板に接続されるとともに、シリアル信号とパラレル信号とを相互に変換する変換コントローラと、アドレス番号が付与された複数のアドレス端子板を備えたアドレス端子板群とを有し、
任意の上記パラレル信号入出力端子板群のグルーピング端子板が、上記アドレス端子板群の同一の上記アドレス端子板にワイヤにて接続可能に構成されたことを特徴とする空気調和システム。
【発明の詳細な説明】
【０００１】
【発明の属する技術分野】
本発明は、パラレル信号とシリアル信号とを相互に変換する信号変換装置、及びこの信号変換装置を適用した空気調和システムに関する。
【０００２】
【従来の技術】
例えば、ビル等の空気調和システムにおいては、１又は複数の室外機及び複数の室内機を有する１又は複数の空気調和装置が、１台の集中制御装置によりシリアル通信を用いて集中的に制御されるものがある。このとき、集中制御装置にて送受信されるシリアル信号と、空気調和装置にて送受信されるシリアル信号とが異なった仕様の場合があり、これに対処するために、集中制御装置と空気調和装置との間に、シリアル信号とパラレル信号とを相互に変換する第１信号変換装置及び第２信号変換装置が配置されたものがある。
【０００３】
第１信号変換装置は、集中制御装置との間で、又、第２信号変換装置は１又は複数の空気調和装置との間で、それぞれシリアル信号とパラレル信号とを相互に変換する。そして、第１信号変換装置の多数のパラレル信号線が、第２信号変換装置の複数のパラレル信号入出力端子板群における多数の端子板に接続される。
【０００４】
これら複数のパラレル入出力端子板群は、被制御対象である空気調和装置の室外機及び室内機の数に対応して設置されている。これらの室外機、室内機には、同一の制御信号によって同時に同一の制御がなされるものがある。第２信号変換装置においては、これら同時に制御がなされる複数の室外機、室内機に対応する複数のパラレル入出力端子板群についてグルーピング（組分け）がなされる。
【０００５】
従来、このグルーピングの設定は、多数のキーを操作して、同一グループに属すべき室外機、室内機にそれぞれ対応するパラレル信号入出力端子板群の番号を液晶表示画面に表示させ、これらに同一アドレス番号を付与して実施している。
【０００６】
【発明が解決しようとする課題】
上述の第２信号変換装置におけるグルーピングの設定は、空気調和システムの試運転時に実施されるものであり、一度設定された後には変更されることが殆どないのが現状である。この点を考慮すると、上述の従来のグルーピングの設定のための装置は、多数のキー及び液晶表示画面などを備えた高価なものとなっている。しかも、キー操作によるグルーピング作業自体も煩雑である。
本発明の課題は、上述の事情を考慮してなされたものであり、複数の被制御対象を同一制御する際のグルーピング作業を、簡単かつ低コストに実現できる信号変換装置及び空気調和システムを提供することにある。
【０００７】
【課題を解決するための手段】
請求項１記載の発明は、複数の被制御対象に対応して複数設けられ、それぞれがパラレル信号線を接続可能な多数の端子板を備えたパラレル信号入出力端子板群と、シリアル信号線を接続可能なシリアル信号入出力端子板と、上記パラレル信号入出力端子板群と上記シリアル信号入出力端子板とに接続され、シリアル信号とパラレル信号とを相互に変換する変換コントローラと、を有する信号変換装置において、アドレス番号が付与された複数のアドレス端子板を備えたアドレス端子板群が設けられ、任意の上記パラレル信号入出力端子板群のグルーピング端子板が、上記アドレス端子板群の同一の上記アドレス端子板にワイヤにて接続可能に構成されたものである。
【０００８】
請求項２記載の発明は、請求項１に記載の発明において、上述の複数のパラレル信号入出力端子板群のグルーピング端子板が互いに同一の抵抗値の抵抗を備え、また、上記アドレス端子板群の複数のアドレス端子板が互いに異なった抵抗値の抵抗を備え、任意の上記パラレル信号入出力端子板群における上記グルーピング端子板の上記抵抗が、上記アドレス端子板群における同一の上記アドレス端子板の上記抵抗に、ワイヤにて並列に接続可能に構成されたものである。
【０００９】
請求項３記載の発明は、一又は複数の室外機及び複数の室内機を有する一又は複数の空気調和装置が、パラレル信号とシリアル信号とを変換可能な信号変換装置を介して、集中制御装置により集中制御される空気調和システムにおいて、上記信号変換装置は、複数の被制御対象に対応して複数設けられるとともに、それぞれがパラレル信号線を接続可能な多数の端子板を備えたパラレル信号入出力端子板群と、シリアル信号線を接続可能なシリアル信号入出力端子板と、上記パラレル信号入出力端子板群と上記シリアル信号入出力端子板に接続されるとともに、シリアル信号とパラレル信号とを相互に変換する変換コントローラと、アドレス番号が付与された複数のアドレス端子板を備えたアドレス端子板群とを有し、任意の上記パラレル信号入出力端子板群のグルーピング端子板が、上記アドレス端子板群の同一の上記アドレス端子板にワイヤにて接続可能に構成されたものである。
【００１０】
請求項１又は３に記載の発明には、次の作用がある。
【００１１】
任意のパラレル信号入出力端子板群のグルーピング端子板が、アドレス端子板群の同一のアドレス端子板にワイヤにて接続可能に構成されたことから、同一に制御されるべき被制御対象に対応するパラレル信号入出力端子板群のグルーピング端子板を、アドレス端子板群の同一のアドレス端子板にワイヤにて接続してグルーピングすることにより、変換コントローラは、上記被制御対象が同一の制御を行うグループであると認識し、これらの上記被制御対象へ同一の制御信号を出力する。この結果、同一に制御されるべき被制御対象に対応するパラレル信号入出力端子板群のうち、一つのパラレル信号入出力端子板群の多数の端子板をパラレル信号線に接続すればよく、他のパラレル信号入出力端子板群の多数の端子板はパラレル信号線に接続する必要がない。このため、パラレル信号入出力端子板群とパラレル信号線との配線作業を簡略化できる。
【００１２】
また、同一に制御されるべき被制御対象に対応する複数のパラレル信号入出力端子板群のグルーピング端子板を、アドレス端子板群の同一のアドレス端子板にワイヤにて接続することにより、パラレル信号入出力端子板群のグルーピング作業を実施できるので、このグルーピング作業が容易であり、且つグルーピング状態を簡単に視認でき、しかも、グルーピングのためにコストを上昇させることがない。
【００１３】
請求項２に記載の発明には、次の作用がある。
【００１４】
同一に制御されるべき被制御対象に対応する任意のパラレル信号入出力端子板群におけるグルーピング端子板の抵抗を、アドレス端子板群における同一のアドレス端子板の抵抗にワイヤにて並列に接続すれば、上述の任意のパラレル信号入出力端子板群におけるグルーピング端子板の抵抗に同一の電圧が作用するので、変換コントローラは、上述の任意のパラレル信号入出力端子板群を、同一の制御を行う同一のグループに属するものと認識できる。
【００１５】
【発明の実施の形態】
以下、本発明の実施の形態を図面に基づいて説明する。
【００１６】
図１は、本発明に係る空気調和システムの一実施の形態を示す系統図である。図２は、図１のシリパラ入出力装置を示す構造図である。
【００１７】
図１に示す空気調和システム１０は、１台の室外機１２及び複数台（例えば１６台）の室内機１３Ａ、１３Ｂ、…１３Ｐを有する空気調和装置１１を、信号変換装置としてのリモートステーション１４及びシリパラ入出力装置１５を介して集中制御装置１６により集中制御するものである。
【００１８】
空気調和装置１１の１台の室外機１２と、複数台の室内機１３Ａ、１３Ｂ、…１３Ｐとは、図示しない冷媒配管にて連結されている。また、この空気調和装置１１は、室外機１２の圧縮機が電動モータ又はエンジンにより駆動される形式の空気調和装置である。
【００１９】
集中制御装置１６は、リモートステーション１４に２線方式の第１シリアル通信線１７にて接続され、このリモートステーション１４とシリパラ入出力装置１５とが複数本のパラレル通信線１９にて接続され、このシリパラ入出力装置１５に空気調和装置１１の室外機１２及び室内機１３Ａ、１３Ｂ、…１３Ｐが第２シリアル通信線１８にて接続されている。
【００２０】
第１シリアル通信線１７を介しての集中制御装置１６とリモートステーション１４との間と、第２シリアル通信線１８を介してのシリパラ入出力装置１５と空気調和装置１１との間で、同一又は異なった仕様のシリアル通信が実施される。上記リモートステーション１４は、シリアル信号をパラレル信号に変換するものであり、上記シリパラ入出力装置１５は、パラレル信号をシリアル信号に変換するものである。これらのリモートステーション１４及びシリパラ入出力装置１５は、第１シリアル通信線１７と第２シリアル通信線１８との間で異なった仕様のシリアル信号が送受信されているときに有効に機能する。
【００２１】
集中制御装置１６は、第１シリアル通信線１７、リモートステーション１４、パラレル通信線１９、シリパラ入出力装置１５及び第２シリアル通信線１８を介して、空気調和装置１１の室外機１２及び室内機１３Ａ、１３Ｂ、…１３Ｐを集中的に制御する。
【００２２】
さて、上記シリパラ入出力装置１５は、図２に示すように、複数のパラレル信号入出力端子板群２０Ａ、２０Ｂ、…２０Ｐ、シリアル信号入出力端子板２１Ａ及び２１Ｂ、変換コントローラ２２、並びにアドレス端子板群２３が基板２４に配置されて構成される。
【００２３】
上記パラレル信号入出力端子板群２０Ａ、２０Ｂ、…２０Ｐは、被制御対象としての複数台（例えば１６台）の室内機１３Ａ、１３Ｂ…１３Ｐにそれぞれ対応して複数個（例えば１６個）設けられ、それぞれが、リモートステーション１４からのパラレル通信線１９を接続可能な多数の端子板ａ、ｂ、…ｑを有する。端子板ｂ〜端子板ｈは、室内機１３Ａ、１３Ｂ、…１３Ｐから集中制御装置１６へのデジタル信号出力用の端子板であり、端子板ｉ〜端子板ｍは、集中制御装置１６から室内機１３Ａ、１３Ｂ、…１３Ｐへのデジタル信号入力用の端子板であり、端子板ｎ〜端子板ｑは、室内機１３Ａ、１３Ｂ、…１３Ｐと集中制御装置１６との間でのアナログ信号入出力用の端子板である。例えば、端子板ｂ及びｉが室内機１３Ａ、１３Ｂ、…１３Ｐの運転用端子板、端子板ｃ及びｊが室内機１３Ａ、１３Ｂ、…１３Ｐの停止用端子板、端子板ｄ、ｆ、ｈ、ｋ、ｍ、ｏ及びｑがＣＯＭＭＯＮ（アース）用の端子板である。また、端子板ｌが集中制御装置１６による複数の室内機１３Ａ、１３Ｂ、…１３Ｐの集中制御用の端子板、端子板ｎが室内機１３Ａ、１３Ｂ、…１３Ｐに付設されたリモートコントローラによる温度設定用の端子板である。更に、端子板ａは、後述のグルーピング端子板である。上記シリアル信号入出力端子板２１Ａ及び２１Ｂは、空気調和装置１１からの第２シリアル通信線１８を接続可能な端子板である。
【００２４】
上記変換コントローラ２２は、図示しないが、パラレル信号入出力端子板群２０Ａ、２０Ｂ、…２０Ｐのそれぞれの端子板ａ、ｂ…ｑと、シリアル信号入出力端子板２１Ａ、２１Ｂとに接続され、シリアル信号とパラレル信号とを相互に変換可能とする。更に、この変換コントローラ２２は、後述の如く、複数の室内機１３Ａ、１３Ｂ、…１３Ｐのうち、同一制御がなされるグループを認識し、これらの室内機１３Ａ、１３Ｂ、…１３Ｐへ同一制御信号を出力する機能を有する。
【００２５】
従って、例えばパラレル信号入出力端子板群２０Ａの端子板ｉと端子板ｋに、パラレル通信線１９を介し集中制御装置１６からパラレル信号が入力されると、パラレル信号入出力端子板群２０Ａに対応する室内機１３Ａに運転信号が入力されたことになり、変換コントローラ２２がパラレル信号をシリアル信号に変換し、シリアル信号入出力端子板２１Ａ、２１Ｂ及び第２シリアル通信線１８を介し、室内機１３Ａへ運転信号を出力する。
【００２６】
ところで、上記アドレス端子板群２３は、アドレス番号が付与された複数のアドレス端子板１、２、…及び８を備えたものである。これらのアドレス端子板１、２、…８は、図４に示すように、それぞれ抵抗値の異なる抵抗Ｒ１、Ｒ２、…Ｒ８を有する。一方、パラレル信号入出力端子板群２０Ａ、２０Ｂ…２０Ｐのそれぞれのグルーピング端子板ａは図４（Ａ）、（Ｂ）に示すように、互いに同一抵抗値の抵抗Ｒを有する。
【００２７】
そして、図３に示すように、パラレル信号入出力端子板群２０Ａ、２０Ｂ、…２０Ｐのうち、任意のパラレル入出力端子板群のグルーピング端子板ａが、アドレス端子板群２３の同一のアドレス端子板１、２、…又は８にリード線等のワイヤ２５、２６、…にて接続可能に構成される。このときには、図４（Ａ）に示すように、ワイヤ２５にて接続された、例えばパラレル信号入出力端子板群２０Ａ、２０Ｂ、２０Ｃ及び２０Ｈの各グルーピング端子板ａにおける抵抗Ｒは、アドレス端子板群２３の例えばアドレス端子板１の抵抗Ｒ１に対し並列に接続可能とされる。また、図４（Ｂ）に示すように、ワイヤ２６にて接続された、例えばパラレル信号入出力端子板群２０Ｄ、２０Ｅ、２０Ｆ及び２０Ｇの各グルーピング端子板ａにおける抵抗Ｒは、アドレス端子板群２３の例えばアドレス端子板２の抵抗Ｒに対し並列に接続可能とされる。
【００２８】
従って、図１に示す空気調和装置１１の室内機１３Ａ、１３Ｂ…１３Ｐのうち、同一の制御信号により同時に同一の制御をしたいものがあるときに、例えば空気調和システム１０の試運転時等にシリパラ入出力装置１５においてグルーピング（組分け）が行われる。
【００２９】
つまり、例えば室内機１３Ａ、１３Ｂ、１３Ｃ及び１３Ｈを同一に制御し、室内機１３Ｄ、１３Ｅ、１３Ｆ及び１３Ｇを同一に制御し、他の室内機１３Ｉ〜１３Ｐは個別に制御したい等の場合に、図３に示すように、室内機１３Ａ、１３Ｂ、１３Ｃ及び１３Ｈにそれぞれ対応するパラレル信号入出力端子板群２０Ａ、２０Ｂ、２０Ｃ及び２０Ｈのグルーピング端子板ａと、アドレス端子板群２３のアドレス端子板１をワイヤ２５にて接続して第１グループとし、更に、室内機１３Ｄ、１３Ｅ、１３Ｆ及び１３Ｇにそれぞれ対応するパラレル信号入出力端子板群２０Ｄ、２０Ｅ、２０Ｆ及び２０Ｇのグルーピング端子板ａとアドレス端子板群２３のアドレス端子板２とをワイヤ２６にて接続して第２グループとする。
【００３０】
図４（Ａ）に示すように、上述のワイヤ２５の結線により、パラレル信号入出力端子板群２０Ａ、２０Ｂ、２０Ｃ、２０Ｈの各グルーピング端子板ａにおける抵抗Ｒに印加される電圧Ａ、Ｂ、Ｃ、Ｈは同一電圧となる。また、図４（Ｂ）に示すように、上述のワイヤ２６の結線により、パラレル信号入出力端子板群２０Ｄ、２０Ｅ、２０Ｆ、２０Ｇの各グルーピング端子板ａにおける抵抗Ｒに印加される電圧Ｄ、Ｅ、Ｆ、Ｇは同一電圧となる。そして、アドレス端子板群２３のアドレス端子板１の抵抗Ｒ１とアドレス端子板２の抵抗Ｒ２とが異なる値であるため、上記電圧Ａ、Ｂ、Ｃ及びＨと、上記電圧Ｄ、Ｅ、Ｆ及びＧとが異なる値となって、この結果、シリパラ入出力装置１５の変換コントローラ２２は、パラレル信号入出力端子板群２０Ａ、２０Ｂ、２０Ｃ及び２０Ｈにそれぞれ対応する室内機１３Ａ、１３Ｂ、１３Ｃ及び１３Ｈを第１グループと認識し、これら室内機１３Ａ、１３Ｂ、１３Ｃ及び１３Ｈへ同一制御信号を出力し、これらから同一の応答信号を入力する。と同時に、変換コントローラ２２は、パラレル信号入出力端子板群２０Ｄ、２０Ｅ、２０Ｆ及び２０Ｇにそれぞれ対応する室内機１３Ｄ、１３Ｅ、１３Ｆ及び１３Ｇを第２グループと認識して、これら室内機１３Ｄ、１３Ｅ、１３Ｆ及び１３Ｇへ同一の制御信号を出力し、これらから同一の応答信号を入力する。
【００３１】
また、シリパラ入出力装置１５の変換コントローラ２２は、電圧値の入力がないパラレル信号入出力端子板群２０Ｉ〜２０Ｐに対応する室内機１３Ｉ〜１３Ｐについては、個別に制御するものと認識し、これらの室内機１３Ｉ〜１３Ｐへ個々別々の制御信号を出力し、これらから個別に応答信号を入力する。
【００３２】
従って、上記実施の形態の空気調和システム１０によれば、次の効果▲１▼及び▲２▼を奏する。
【００３３】
▲１▼任意のパラレル信号入出力端子板群２０Ａ、２０Ｂ、…２０Ｐのグルーピング端子板ａが、アドレス端子板群２３の同一のアドレス端子板１、２、…８にワイヤ２５、２６、…にて接続可能に構成されたことから、同一に制御されるべき室内機１３Ａ、１３Ｂ、…１３Ｐに対応するパラレル信号入出力端子板群２０Ａ、２０Ｂ、…２０Ｐのグルーピング端子板ａを、アドレス端子板群２３の同一のアドレス端子板１、２、…８に、ワイヤ２５、２６、…にて接続してグルーピングすることにより、変換コントローラ２２は、室内機１３Ａ、１３Ｂ、…１３Ｐが同一の制御を行うグループであると認識し、これらの室内機１３Ａ、１３Ｂ、…１３Ｐへ同一の制御信号を出力する。この結果、例えば同一に制御されるべき室内機１３Ａ、１３Ｂ、１３Ｃ及び１３Ｈに対応するパラレル信号入出力端子板群２０Ａ、２０Ｂ、２０Ｃ、２０Ｈのうち、１つのパラレル信号入出力端子板群（例えばパラレル信号入出力端子板群２０Ａ）の多数の端子板ｂ、ｃ、…ｑをリモートステーション１４のパラレル通信線１９に接続すればよく、他のパラレル信号入出力端子板群（例えばパラレル信号入出力端子板群２０Ｂ、２０Ｃ、２０Ｈ）の多数の端子板ｂ、ｃ、…ｑはリモートステーション１４のパラレル通信線１９に接続する必要がない。このため、パラレル信号入出力端子板群２０Ａ、２０Ｂ、…２０Ｐとリモートステーション１４のパラレル通信線１９との配線作業を簡略化できる。
【００３４】
▲２▼例えば、同一に制御されるべき室内機１３Ａ、１３Ｂ、１３Ｃ及び１３Ｈに対応する複数のパラレル信号入出力端子板群２０Ａ、２０Ｂ、２０Ｃ及び２０Ｈのグルーピング端子板ａを、アドレス端子板群２３の同一のアドレス端子板１にワイヤ２５にて接続することによりパラレル信号入出力端子板群２０Ａ、２０Ｂ、２０Ｃ、２０Ｈのグルーピング作業を実施出来るので、このグルーピング作業が容易であり、かつグルーピング状態を簡単に視認でき、しかも、グルーピングのためにコストを上昇させることがない。
【００３５】
以上、一実施の形態に基づいて本発明を説明したが、本発明はこれに限定されるものではない。例えば、集中制御装置１６により制御される空気調和装置１１が複数あってもよく、又、各空気調和装置１１において、室外機１２が複数台であってもよい。
【００３６】
【発明の効果】
以上のように、本発明に係る信号変換装置及び空気調和システムによれば、同一に制御されるべき被制御対象に対応する複数のパラレル信号入出力端子板群のグルーピング端子板をアドレス端子板群の同一のアドレス端子板にワイヤにて接続することにより、パラレル入出力端子板群のグルーピング作業を実施できるので、複数の被制御対象を同一制御する際のグルーピング作業を、簡単かつ低コストに実現できる。
【図面の簡単な説明】
【図１】本発明に係る空気調和システムの一実施の形態を示す系統図である。
【図２】図１のシリパラ入出力装置を示す構造図である。
【図３】図２の一部を拡大して示すグルーピングのための配線図である。
【図４】図３のアドレス端子板群のアドレス端子板と、複数のパラレル信号入出力端子板群のグルーピング端子板との内部回路を示す回路図である。
【符号の説明】
１、２、…８  アドレス端子板
１０  空気調和システム
１１  空気調和装置
１２  室外機
１３Ａ、１３Ｂ、…１３Ｐ  室内機（被制御対象）
１５  シリパラ入出力装置（信号変換装置）
１６  集中制御装置
１８  第２シリアル通信線
１９  パラレル通信線
２０Ａ、２０Ｂ、…２０Ｐ  パラレル信号入出力端子板群
２１Ａ、２１Ｂ  シリアル信号入出力端子板
２２  変換コントローラ
２３  アドレス端子板群
２５、２６  ワイヤ
ａ、ｂ、…ｑ  端子板
Ｒ１、Ｒ２、…Ｒ８  抵抗
Ｒ  抵抗
【図１】
0003831523.tif 000002
【図２】
0003831523.tif 000003
【図３】
0003831523.tif 000004
【図４】
0003831523.tif 000005